(57)【要約】【課題】  看護師の作業動線を短縮し、看護作業の効率向上を図る。【解決手段】  主たるナースステーションの他に、看護師が病室１での看護を行うに必要な準備作業を行いかつ病室において使用する薬品類や器具類を収納しておくためのナースコーナー５を、病棟内の各所に多数分散配置する。ナースコーナーには、看護師が各種作業を行うための作業台となるカウンタートップ８と、薬品類や器具類を収納するための収納棚１１とを備え、看護に必要な情報をオンラインにて授受するための通信手段を設置可能としたナースカウンター６を設置する。ナースカウンターには、病室に付設する各種の機器・器具類、たとえば手洗器１２、ゴミ箱収納部、室名表示、ナースコール表示灯、ナースコール復旧スイッチ等を組み込むことが好ましい。【選択図】      図２
2005102722.tif 000002
【特許請求の範囲】
【請求項１】
多数の病室とナースステーションを備えた病棟施設において、看護師が病室での看護を行うに必要な準備作業を行い、かつ病室において使用する薬品類や器具類を収納しておくためのナースコーナーを、病棟内の各所に多数分散配置したことを特徴とする病棟施設。
【請求項２】
請求項１記載の病棟施設におけるナースコーナーに設置されるナースカウンターであって、各種作業を行うためのカウンタートップと、薬品類や器具類を収納するための収納棚とを備え、看護に必要な情報をオンラインにて授受するための通信手段を設置可能としたことを特徴とするナースカウンター。
【請求項３】
請求項２記載のナースカウンターであって、手洗器、ゴミ箱収納部、室名表示、ナースコール表示灯、ナースコール復旧スイッチのうちの少なくともいずれか一つを備えたことを特徴とするナースカウンター。
【発明の詳細な説明】
【技術分野】
【０００１】
本発明は、大規模な病院に適用して好適な病棟施設、およびその病棟施設に備えて好適なナースカウンターに関する。
【背景技術】
【０００２】
周知のように、多数の病室を有する大規模な病棟には各階にナースステーションを設けて、カルテ等の書類、薬品類や治療器具等の備品類をここで集約して管理・保管し、看護師（ナース）はナースステーションと各病室との間を行き来しながら入院患者の看護に当たるようになっている。
【０００３】
そのようなナースステーションは、たとえば特許文献１に示されるように病棟のほぼ中心位置に配置されることが通常であるが、特に大規模な病棟ではメインのナースステーションの他にサブのナースステーションを設けることもあるし、特許文献２には所望位置に移動自在な簡易なナースステーションが提案されている。
【特許文献１】特開２００２−１３８６９７号公報
【特許文献２】特開平９−２３８９８９号公報
【発明の開示】
【発明が解決しようとする課題】
【０００４】
いずれにしても、従来の大規模な病棟ではナースステーションと各病室との間の動線が長くならざるを得ないし、看護師は薬品や治療器具を持ってその間を頻繁に往復することが不可避であるので必ずしも効率的ではなく、その点での有効な改善策が望まれていた。
【課題を解決するための手段】
【０００５】
上記事情に鑑み、本発明の病棟施設は、主たるナースステーションの他に、看護師が病室での看護を行うに必要な準備作業を行い、かつ病室において使用する薬品類や器具類を収納しておくためのナースコーナーを、病棟内の各所に多数分散配置したものである。
【０００６】
また、本発明のナースカウンターは上記の病棟施設におけるナースコーナーに設置されるもので、看護師が各種作業を行うためのカウンタートップと、薬品類や器具類を収納するための収納棚とを備え、看護に必要な情報をオンラインにて授受するための通信手段を設置可能としたものである。そのナースカウンターには、さらに病室に付設する各種の機器・器具類、たとえば手洗器、ゴミ箱収納部、室名表示、ナースコール表示灯、ナースコール復旧スイッチ等を任意に組み込むことが可能である。
【発明の効果】
【０００７】
本発明の病棟施設は、それ自体が簡易なナースステーションとして機能する多数のナースコーナーを病棟内の各所に分散配置したので、看護師が病室で行う看護のための準備作業やその関連作業の大半をその病室の直近のナースコーナーにおいて行うことができ、したがって看護師は従来のように各病室とナースステーションとの間を何度も往復する必要がなく、その結果、看護師の動線を大幅に短縮することができ、看護作業の効率向上、迅速化、ナースの負担軽減を図ることができるし、看護師がナースコーナーにおいて常に待機することで高度の看護を行うことが可能となる。
【０００８】
本発明のナースカウンターは、カウンタートップと収納棚とを備えるとともに通信手段を設置可能としたことで簡易なナースステーションとして必要な機能を備えたものであり、上記の病棟施設におけるナースコーナーに設置するものとして最適である。さらに、洗面器、ゴミ箱収納部、室名表示、ナースコール表示灯、ナースコール復旧スイッチ等も一体に組み込むことでより多機能なものとなり、病室の入口部に設置するものとして最適である。
【発明を実施するための最良の形態】
【０００９】
図１は本発明の病棟施設の一例を示す全体平面図、図２はその一部（図１におけるII部）を拡大して示した図である。この病棟施設は、基本的には外周部に多数の病室１（主に４床室１ａおよび１床室１ｂ）が廊下２に沿って配置され、中心部にメインのナースステーション３が配置されているとともに、その周囲に３箇所のサブのナースステーション４および関連諸室が配置された形態となっているが、それらメインおよびサブのナースステーション３，４に加え、多数の病室１の入口部にはそれぞれナースコーナー５が設けられている。そして、各ナースコーナー５には図３〜図１１に示すようなナースカウンター６が設置されることで各ナースコーナー５はそれぞれが簡易なナースステーションとしての機能を備えたものとなっており、各病室１において行う看護のための準備作業やその関連作業の大半をその病室１の直近のナースコーナー５において行うことができるようになっている。
【００１０】
本実施形態のナースカウンター６は造作家具あるいは什器としてナースコーナー５に設置されるものであって、図２に示しているものは病室１の配列に対応して柱７を挟んでその両側に対象的に配置されており、いずれも各病室１の入口部において廊下２に面して設置されている。そのナースカウンター６は、図３（３方向からの斜視図）および図４〜図１１に示すように、各種作業を行うための作業台かつコンピュータ（図示せず）の置き台となるカウンタートップ８が前面パネル９および側面パネル１０により支持されて水平に設けられ、かつ薬品や器具等の備品を収納するための収納棚１１が備えられ、さらにこのナースカウンター６の背後側には手洗器１２が横向きで設けられ、収納棚１１の下方にはゴミ箱（ダストワゴン）の設置スペースとしてのゴミ箱収納部１３が設けられたものとなっている。
【００１１】
カウンタートップ８は横長の平板からなるものであるが、収納棚１１の前部側ではその奥行き寸法がやや小さくされ、その角部には滑らかなアール加工がなされており、カウンタートップ８の下面側には抽斗１４が備えられている。また、前面パネル９には、カウンタートップ８の上面側に照明器具のスイッチ１５およびコンセント１６が設けられ、カウンタートップ８の下面側にはオンラインによる通信手段としてのコンピュータを接続するための情報アウトレット１７が付設されている。そして、このナースカウンター６にコンピュータを設置して情報アウトレット１７に接続することで、各患者の電子カルテや看護スケジュールをはじめとして看護に必要な各種のデータや情報がオンラインにて得られ、かつ必要に応じて看護記録データをここから入力できるようになっている。
【００１２】
収納棚１１は、スリット１８が形成された鍵付きの両開きの扉１９を備え、内部には複数段の棚板２０がダボにより位置変更可能に備えられたもので、少なくとも直近の病室１において当日に使用する薬品類や医療器具類を保管できる容量を有するものである。
【００１３】
手洗器１２はナースカウンター６と意匠を統一した洗面化粧台として前面パネル２１および両側の側面パネル２２と一体に設けられており、前面パネル２１には鏡２３および照明器具２４が備えられ、側面パネル２２の一方には消毒液ボトルの置き台２５が、他方にはペーパータオルホルダー２６が付設されている。
【００１４】
また、このナースカウンター６は各病室１の入口部に設置されることから、それには室名表示２７（図示例のものは病室番号「２２３」）がなされ、さらにその病室１でナースコールが発せられたことを表示するためのナースコール表示灯２８、ナースコールを看護師が復旧操作するためのナースコール復旧スイッチ２９も併せて付設されている。
【００１５】
上記のように、各病室１の入口部にナースコーナー５を設けてそこに上記のようなナースカウンター６を設置したことにより、この病棟施設では看護師が病室１で行う看護のための準備作業やその関連作業の大半をその病室１の直近のナースコーナー５において行うことができる。すなわち、病室１での看護に先立って対象の患者の電子カルテや看護スケジュールをこのナースコーナー５においてオンラインにて確認できるし、予め収納棚１１に保管しておいた薬品等の最終的な調製や治療器具類のセッティング等もここで行うことができ、看護記録の入力もここから行うことができる。
【００１６】
したがって、看護師はある病室１での看護が終了したら、従来のようにそのつどナースステーション３，４に戻ることなく、そのまま次の病室１へ移動してそこにあるナースコーナー５にて必要な準備をすれば良く、それにより直ちに看護に当たることができる。すなわち、看護師が従来のように薬品や治療器具を持って各病室１とナースステーション３，４との間を何度も往復する必要はなく、それにより看護師の動線を大幅に短縮することができ、その結果、看護作業の効率向上、迅速化、看護師の負担軽減を図ることができるし、必要に応じて看護師がナースコーナー５において待機することにより看護師が常に患者に近い位置にいることができて高度の看護を行うことが可能となる。
【００１７】
また、上記のナースカウンター６は簡易なナースステーションとしての機能を備えることに加え、従来は病室１の入口部に個々に設置されている各種の器具類（上記の場合は手洗器１２、ゴミ箱収納部１３、室名表示２７、ナースコール表示灯２８、ナースコール復旧スイッチ２９）をも一体に組み込んでいるので、充分に多機能であるばかりでなくその全体を意匠的にもすっきりと美しく納めることができ、病室１の入口部に設置するものとして最適である。
【００１８】
以上で本発明の病棟施設およびそのナースコーナーに設けるナースカウンターの一実施形態を説明したが、上記実施形態はあくまで一例に過ぎず、本発明は上記実施形態に限定されることなく適宜の設計的変更が可能である。たとえば、ナースコーナー５は全ての病室１の入口部に設けることが最も好ましいが、ナースコーナー５の設置箇所数やその設置位置は、病棟全体の規模やその平面プラン等を考慮して適宜設定すれば良い。また、ナースカウンター６は簡易なナースステーションとしての必要最小限の機能としてカウンタートップ８と収納棚１１を備え、かつコンセント１６および情報アウトレット１７を備えてオンラインによる通信手段としてのコンピュータを設置可能とする限りにおいて、その構成や形態、意匠は任意に変更可能であって、たとえば上記実施形態のナースカウンター６における手洗器１２やゴミ箱収納部１３は不要であれば省略しても差し支えないし、必要に応じてさらに様々な機能を付加しても勿論良い。なお、図１に示した例では、全ての４床室１ａの入口部に上記のナースカウンター６を設けているが、１床室１ｂに対しては廊下２を挟んで対向配置されている４室に対して１箇所のナースコーナー５を廊下の片側に確保し、かつそのナースコーナー５では洗面器を省略したものとなっている。
【図面の簡単な説明】
【００１９】
【図１】本発明の実施形態である病棟施設の一例を示す全体平面図である。
【図２】同、部分拡大平面図（図１におけるII部の拡大平面図図）である。
【図３】本発明の実施形態であるナースカウンターの外観を示す図（３方向からの斜視図）である。
【図４】同、正面図である。
【図５】同、平面図（図４におけるV−V線視図）である。
【図６】同、平断面図（図４におけるVI−VI線視図）である。
【図７】同、側断面図（図４におけるVII−VII線視図）である。
【図８】同、側断面図（図４におけるVIII−VIII線視図）である。
【図９】同、側面図である。
【図１０】同、側断面図（図９におけるX−X線視図）である。
【図１１】同、側断面図（図９におけるXI−XI線視図）である。
【符号の説明】
【００２０】
１  病室
２  廊下
３，４  ナースステーション
５  ナースコーナー
６  ナースカウンター
７  柱
８  カウンタートップ
９  前面パネル
１０  側面パネル
１１  収納棚
１２  手洗器
１３  ゴミ箱収納部
１４  抽斗
１５  スイッチ
１６  コンセント
１７  情報アウトレット
１８  スリット
１９  扉
２０  棚板
２１  前面パネル
２２  側面パネル
２３  鏡
２４  照明器具
２５  置き台
２６  ペーパータオルホルダー
２７  室名表示
２８  ナースコール表示灯
２９  ナースコール復旧スイッチ
【図１】
2005102722.tif 000003
【図２】
2005102722.tif 000004
【図３】
2005102722.tif 000005
【図４】
2005102722.tif 000006
【図５】
2005102722.tif 000007
【図６】
2005102722.tif 000008
【図７】
2005102722.tif 000009
【図８】
2005102722.tif 000010
【図９】
2005102722.tif 000011
【図１０】
2005102722.tif 000012
【図１１】
2005102722.tif 000013